(57)【要約】      （修正有）【課題】比較的簡単な構成で所望の防水効果を得ることができ電装部品の健全性を確実に維持することが可能な電装ケーブル構造を提供すること。【解決手段】一次側電装ケーブル１ａと、一次側電装ケーブルに対して分断・配置された二次側電装ケーブル１ｂと、一次側電装ケーブルと二次側電装ケーブルを接続する中間基板１３と、中間基板を覆うホットメルト樹脂モールド部２１とを具備し、一次側電装ケーブルの中間基板側の端部の被覆チューブは中間基板に対して重合しないように離間・配置され、二次側電装ケーブルの中間基板側の端部の被覆チューブも中間基板に対して重合しないように離間・配置され、仮に一次側電装ケーブル側より水分・油分が浸入しても中間基板及びホットメルト樹脂モールド部からなる中間基板処理部１１によってこれを食い止めて二次側電装ケーブル側に浸入しないようにしたもの。【選択図】図２
2010080069.tif 000002
【特許請求の範囲】
【請求項１】
芯線が被覆チューブによって被覆された構成の一次側電装ケーブルと、上記一次側電装ケーブルに対して分断・配置され同じく芯線が被覆チューブによって被覆された構成の二次側電装ケーブルと、上記一次側電装ケーブルと二次側電装ケーブルの間に配置されこれら一次側電装ケーブルと二次側電装ケーブルを接続する中間基板と、上記中間基板を覆うように設けられたホットメルト樹脂モールド部と、を具備し、  上記一次側電装ケーブルの上記中間基板側の端部の被覆チューブは上記中間基板に対して重合しないように離間・配置されており、同様に、上記二次側電装ケーブルの上記中間基板側の端部の被覆チューブも上記中間基板に対して重合しないように離間・配置されていて、仮に、上記一次側電装ケーブル側より水分・油分が浸入しても上記中間基板及びホットメルト樹脂モールド部からなる中間基板処理部によってこれを食い止めて上記二次側電装ケーブル側に浸入しないようにしたことを特徴とする電装ケーブル構造。
【請求項２】
請求項１記載の電装ケーブル構造において、  上記中間基板の上記一次側電装ケーブル側と二次側電装ケーブル側の端部は櫛歯状に形成されていて凹凸部が交互に設けられた構成になっており、  上記凹凸部の先端にランド部が夫々設置されていることを特徴とする電装ケーブル構造。
【請求項３】
請求項２記載の電装ケーブル構造において、  上記一次側電装ケーブル及び二次側電装ケーブルの上記中間基板側の端部の露出された芯線は上記各ランド部に半田付けされるものであることを特徴とする電装ケーブル構造。
【発明の詳細な説明】
【技術分野】
【０００１】
本発明は電装ケーブル構造に係り、特に、電装ケーブル内に浸入した水分・油分が電装ケーブル内を通って電装ケーブルに接続された電装部品にまで至って電装部品の機能を喪失させてしまうようなことを確実に防止できるように工夫したものに関する。
【背景技術】
【０００２】
例えば、各種モーターボートにおいてはいわゆる「船外機」が搭載されていて、この船外機及びそれに付属する各種機器と操縦部との間には電装ケーブルが敷設されている。そのような構造の一例を図１０に示す。  
【０００３】
図１１は船外機及びそれに付属する各種機器と操縦席との間に敷設される電装ケーブルの一部を示す図である。まず、電装ケーブル１０１があり、この電装ケーブル１０1の先端には電装部品１０３が接続されている。上記電装ケーブル１０１の基端側には所定の端末処理が施されている。図中端末処理部を符号１０５、１０７、１０９で示す。これら端末処理部１０５、１０７、１０９の内、端末処理部１０７、１０９はいわゆる「ギボシ端子」を使用した処理が施されており完全防水ではない。
【発明の開示】
【発明が解決しようとする課題】
【０００４】
上記従来の構成によると次のような問題があった。すなわち、電装ケーブル１０１の端末処理部１０７、１０９の部分を介して電装ケーブル１０１内に水分・油分が浸入してしまうという問題があった。図１０中水分・油分の浸入経路を一点鎖線で示す。端末処理部１０７、１０９の部分を介して電装ケーブル１０１内に浸入した水分・油分は電装ケーブル１０１内を通って電装ケーブル１０１に接続されている電装部品１０３にまで至ることがある。そのような場合には浸入・到達した水分・油分によって電装部品１０３の機能が損なわれてしまうことがあった。  
【０００５】
尚、本願に直接関連するものではないが、防水を目的とした発明を開示するものとして、例えば、特許文献１がある。    
【特許文献１】特開平１１−３２４２７６号公報
【０００６】
本発明はこのような点に基づいてなされたものでその目的とするところは、比較的簡単な構成で所望の防水効果を得ることができ電装部品の健全性を確実に維持することが可能な電装ケーブル構造を提供することにある。  
【０００７】
尚、本件特許出願人は、このような問題点を解決するものとして、特許出願を行っており（特願２００７−７８９２１号、未公開）、本願はこれをさらに改良したものである。
【課題を解決するための手段】
【０００８】
上記目的を達成するべく本願発明の請求項１による電装ケーブル構造は、芯線が被覆チューブによって被覆された構成の一次側電装ケーブルと、上記一次側電装ケーブルに対して分断・配置され同じく芯線が被覆チューブによって被覆された構成の二次側電装ケーブルと、上記一次側電装ケーブルと二次側電装ケーブルの間に配置されこれら一次側電装ケーブルと二次側電装ケーブルを接続する中間基板と、上記中間基板を覆うように設けられたホットメルト樹脂モールド部と、を具備し、上記一次側電装ケーブルの上記中間基板側の端部の被覆チューブは上記中間基板に対して重合しないように離間・配置されており、同様に、上記二次側電装ケーブルの上記中間基板側の端部の被覆チューブも上記中間基板に対して重合しないように離間・配置されていて、仮に、上記一次側電装ケーブル側より水分・油分が浸入しても上記中間基板及びホットメルト樹脂モールド部からなる中間基板処理部によってこれを食い止めて上記二次側電装ケーブル側に浸入しないようにしたことを特徴とするものである。又、請求項２による電装ケーブルは、請求項１記載の電装ケーブル構造において、上記中間基板の上記一次側電装ケーブル側と二次側電装ケーブル側の端部は櫛歯状に形成されていて凹凸部が交互に設けられた構成になっており、上記凹凸部の先端にランド部が夫々設置されていることを特徴とするものである。又、請求項３による電装ケーブルは、請求項２記載の電装ケーブル構造において、上記一次側電装ケーブル及び二次側電装ケーブルの上記中間基板側の端部の露出された芯線は上記各ランド部に半田付けされるものであることを特徴とするものである。
【発明の効果】
【０００９】
以上述べたように本願発明の請求項１による電装ケーブル構造は、芯線が被覆チューブによって被覆された構成の一次側電装ケーブルと、上記一次側電装ケーブルに対して分断・配置され同じく芯線が被覆チューブによって被覆された構成の二次側電装ケーブルと、上記一次側電装ケーブルと二次側電装ケーブルの間に配置されこれら一次側電装ケーブルと二次側電装ケーブルを接続する中間基板と、上記中間基板を覆うように設けられたホットメルト樹脂モールド部と、を具備し、上記一次側電装ケーブルの上記中間基板側の端部の被覆チューブは上記中間基板に対して重合しないように離間・配置されており、同様に、上記二次側電装ケーブルの上記中間基板側の端部の被覆チューブも上記中間基板に対して重合しないように離間・配置されていて、仮に、上記一次側電装ケーブル側より水分・油分が浸入しても上記中間基板及びホットメルト樹脂モールド部からなる中間基板処理部によってこれを食い止めて上記二次側電装ケーブル側に浸入しないようにした構成になっているので、まず、万一、端末処理部側から水分・油分が一次側電装ケーブル内に浸入したとしても、それが電装部品側に至るようなことを確実に防止することができる。これは、中間基板処理部を設けたからである。すなわち、中間基板処理部の中間基板を挟んで一次側電装ケーブルと二次側電装ケーブルとに分断されているとともに外側からホットメルト樹脂モールド部によって覆われているので、一次側電装ケーブル内に浸入した水分・油分が二次側電装ケーブル内に入り込むことはないからである。  又、一次側電装ケーブルと二次側電装ケーブルの被覆チューブが中間基板に対して重合しないように離間・配置させているので、ホットメルト樹脂が入り込まないような箇所、例えば、被覆チューブと中間基板の間等をなくすことができ、それによって、一次側電装ケーブル内に浸入した水分・油分が二次側電装ケーブル内に入り込むことを確実に防止することができる。又、請求項２による電装ケーブルは、請求項１記載の電装ケーブル構造において、上記中間基板の上記一次側電装ケーブル側と二次側電装ケーブル側の端部は櫛歯状に形成されていて凹凸部が交互に設けられた構成になっており、上記凹凸部の先端にランド部が夫々設置されているので、上記一次側電装ケーブル側と二次側電装ケーブルの被覆チューブが中間基板に対して重合しない構成を中間基板を大型化させることなく容易に得ることができる。又、請求項３による電装ケーブルは、請求項２記載の電装ケーブル構造において、上記一次側電装ケーブル及び二次側電装ケーブルの上記中間基板側の端部の露出された芯線は上記各ランド部に半田付けされるものであるので、接続作業も簡単である。
【発明を実施するための最良の形態】
【００１０】
以下、図１乃至図１０を参照して本発明の一実施の形態を説明する。図１は本実施の形態による電装ケーブル構造を示す図であり、まず、電装ケーブル１がある。この電装ケーブル1の先端には電装部品３が接続されている。上記電装ケーブル１の基端側には所定の端末処理が施されている。図中端末処理部を符号５、７、９で示す。これら端末処理部５、７、９の内、端末処理部７、９はいわゆる「ギボシ端子」を使用した処理を施されており完全防水ではない。又、上記電装ケーブル１は、図２〜図５に示すように、被覆チューブ２と芯線４とから構成されている。  
【００１１】
上記電装ケーブル１の途中には中間基板処理部１１が設けられている。以下、この中間基板処理部１１の構成を詳細に説明する。図２及び図３に示すように、まず、電装ケーブル１は中間基板処理部１１を挟んで分断されていて、反電装部品３側が一次側被覆電装ケーブル１ａ、電装部品３側が二次側被覆電装ケーブル１ｂとなっている。これら一次側被覆電装ケーブル１ａと二次側被覆電装ケーブル１ｂは中間基板１３を介して接続されている。  
【００１２】
上記中間基板１３は図６乃至図８に示すような構成になっている。図６は中間基板１３の積層構造を示す図であり、まず、基材１４がある。この基材１４の図中下側にはレジスト１６、表面材１８が順次設けられている。又、基材１４の図中上側にはパターン（銅）１５、ランド１７が設けられていると共に、ランド１７以外の箇所にはレジスト２０、表面材２２が設置されている。又、図７は中間基板１３を図６中下側からみた状態を示す平面図であり、複数個のパターン１５とランド１７が示されている。上記パターン１５とランド１７は表面材１８とレジスト１６の下側に配置されているものである。一方、図８は中間基板１３を図６中上側からみた状態を示す平面図であり、複数個のランド部１７が示されている。これらランド部１７は上記パターン１５に対応するように配置されているものであり、すなわち、一本のパターン１５の両端位置に対応する位置に一対のランド部１７が設置されていて、これら一対のランド部１７は上記対応するパターン１５の両端に電気的に連通した構成をなしている。そして、図９及び図１０に示すように、これら複数個のランド部１７に対して、上記一次側電装ケーブル１ａと二次側電装ケーブル１ｂの夫々の芯線４が直接半田付けされることになる。  
【００１３】
上記中
間基板１３についてさらに詳しく説明する。上記中間基板１３は櫛歯形状に形成されていて、図７に示すように、表面側からみた場合図中左側には３個の凸部１３ａが設けられ、それら３個の凸部１３ａの間に２個の凹部１３ｂが形成されている。又、図中右側には２個の凸部１３ａが設けられ、それら２個の凸部１３ａを挟むように３個の凹部１３ｂが設置されている。  尚、図７は上記中間基板１３を裏側からみているので、凹凸部１３ａ、１３ｂの位置が逆になっている。  
【００１４】
又、図８に示すように、各凸部１３ａ及び凹部１３ｂにおけるランド部１７の位置をみてみると、各ランド部１７は各凸部１３ａ及び凹部１３ｂの先端（図７中左右方向の先端）に寄った位置に設置されている。  
【００１５】
上記各ランド部１７には、図９に示すように、上記一次側電装ケーブル１ａと二次側電装ケーブル１ｂの夫々の芯線４が直接半田付けされることになる。その際、図９に示すように、上記一次側電装ケーブル１ａと二次側電装ケーブル１ｂの被覆チューブ２の位置をみてみると、上記中間基板１３の各凸部１３ａ及び各凹部１３ｂの部分に対して重合しないように離間・配置されている。  
【００１６】
このような構成を採用した理由は次のようなものである。前述したように、本件特許出願人は、本件特許願に先立って、特許出願を行っており（特願２００７−７８９２１号、未公開）、そこに開示されている発明によって所望の効果を得ることができた。しかしながら、そこに開示されている構成の場合には、被覆チューブと中間基板が重合する構成になっていて、その重合部に後述するホットメルト樹脂が効果的に入り込まないために所望の封止効果が低減してしまうという問題があった。そこで、本願発明では、上記したように、上記一次側電装ケーブル１ａと二次側電装ケーブル１ｂの被覆チューブ２を上記中間基板１３の各凸部１３ａ及び各凹部１３ｂの部分に対して重合しないように離間・配置させたものである。つまり重合部分をなくすことにより、ホットメルト樹脂が入り込まないような部位をなくそうとするものである。  
【００１７】
そして、図２乃至図５に示すように、上記中間基板１３を含んだ全体を覆うようにホットメルト樹脂モールド部２１を設けるものである。  
【００１８】
以上本実施の形態によると次のような効果を奏することができる。  まず、万一、端末処理部を符号７、９側から水分・油分が一次側電装ケーブル１ａ内に浸入したとしても、それが電装部品３側に至るようなことを確実に防止することができる。これは、中間基板処理部１１を設けたからである。すなわち、中間基板処理部１１の中間基板１３を挟んで一次側被覆電装ケーブル１ａと二次側被覆電装ケーブル１ｂとに分断されているとともに外側からホットメタル樹脂モールド部２１によって覆われているので、一次側被覆電装ケーブル１ａ内に浸入した水分・油分が二次側被覆電装ケーブル１ｂ内に入り込むことはないからである。  又、上記一次側被覆電装ケーブル１ａと二次側被覆電装ケーブル１ｂの被覆チューブ２を上記各凸部１３ａ及び各凹部１３ｂの部分に対して重合しないように離間・配置させているので、ホットメルト樹脂が入り込まないような箇所をなくすことができる。それによって、一次側被覆電装ケーブル１ａ内に浸入した水分・油分が二次側被覆電装ケーブル１ｂ内に入り込むことを確実に防止することができる。  又、中間基板１３の左右両側を櫛歯状に形成すると共に、各凹凸部１３ａ、１３ｂの先端部にレジスト部１７を設置しているので、上記一次側被覆電装ケーブル１ａと二次側被覆電装ケーブル１ｂの芯線２をそそれ程長く露出させなくても、上記一次側被覆電装ケーブル１ａと二次側被覆電装ケーブル１ｂの被覆チューブ２が上記各凸部１３ａ及び各凹部１３ｂの部分に対して重合しない構成を実現できるものである。  
【００１９】
尚、本発明は前記一実施の形態に限定されるものではない。例えば、前記一実施の形態ではモーターボートの電装ケーブルを例に挙げて説明したが、それに限定されるものではなく、様々な用途の電装ケーブル構造に適用可能である。その他、図示した構成はあくまで一例である。
【産業上の利用可能性】
【００２０】
本発明は電装ケーブル構造に係り、特に、電装ケーブルの被覆チューブ内に浸入した水分・油分が電装ケーブル内を通って電装ケーブルに接続された電装部品にまで至って電装部品の機能を喪失させてしまうようなことを確実に防止できるように工夫したものに関し、例えば、モーターボートに搭載される各種電装ケーブル構造に好適である。
【図面の簡単な説明】
【００２１】
【図１】本発明の一実施の形態を示す図で、電装ケーブルと該電装ケーブルに接続された電装部品を示す平面図である。
【図２】本発明の一実施の形態を示す図で、図１のＩＩ部をその一部を切り欠いて詳細に示す平面図である。
【図３】本発明の一実施の形態を示す図で、図２のＩＩＩ−ＩＩＩ断面図である。
【図４】本発明の一実施の形態を示す図で、図２のＩＶ−ＩＶ矢視図である。
【図５】本発明の一実施の形態を示す図で、図２のＶ−Ｖ矢視図である。
【図６】本発明の一実施の形態を示す図で、中間基板の積層構造を示す側面図である。
【図７】本発明の一実施の形態を示す図で、中間基板の表面側を示す平面図である。
【図８】本発明の一実施の形態を示す図で、中間基板の背面側を示す平面図である。
【図９】本発明の一実施の形態を示す図で、中間基板の両側に電装ケーブルを接続した状態を示す平面図である。
【図１０】本発明の一実施の形態を示す図で、図８のＸ−Ｘ断面図である。
【図１１】従来例を示す図で、電装ケーブル内を水分や油分が浸入していく経路を説明するための図である。
【符号の説明】
【００２２】
１  電装ケーブル  1ａ  一次側被覆電装ケーブル  １ｂ  二次側被覆電装ケーブル    ３  電装部品  ５  端末処理部  ７  端末処理部  ９  端末処理部  １１  中間基板処理部  １３  中間基板  １３ａ  凸部  １３ｂ  凹部１５  パターン１７  ランド部２１  ホットメルト樹脂モールド部   
【図１】
2010080069.tif 000003
【図２】
2010080069.tif 000004
【図３】
2010080069.tif 000005
【図４】
2010080069.tif 000006
【図５】
2010080069.tif 000007
【図６】
2010080069.tif 000008
【図７】
2010080069.tif 000009
【図８】
2010080069.tif 000010
【図９】
2010080069.tif 000011
【図１０】
2010080069.tif 000012
【図１１】
2010080069.tif 000013